(57)【要約】【課題】充電の手間を軽減する表示装置、充電制御システム及び表示装置プログラムを提供する。【解決手段】複合機と接続されると表示装置で実行される。バッテリーの電圧が取得され（Ｓ２１）、３Ｖ以下であれば（Ｓ２２：ＹＥＳ）、充電するメニューのみ選択可能なメニュー画面が表示される（Ｓ２６）。３．８Ｖ以上であれば（Ｓ２３：ＹＥＳ）、充電しないメニューのみ選択可能なメニュー画面が表示される（Ｓ２５）。３〜３．８Ｖであれば（Ｓ２３：ＮＯ）、全メニュー選択可能なメニュー画面が表示される（Ｓ２４）。そして、選択されたメニューに応じた処理が行われる（Ｓ３１〜Ｓ４０）。第一，第二メニューは印刷のみを実行させるメニューで、印刷データの送信のみが行われる。第三，第四メニューは、印刷及び充電の両方を実行させるメニューで、印刷データの送信及び充電が行われる。第五メニューは充電のみを実行させるメニューで、充電のみ行われる。【選択図】図１３
2008245180.tif 000002
【特許請求の範囲】
【請求項１】
表示手段を備えた表示装置であって、
コンテンツを記憶するコンテンツ記憶手段と、
電源を供給するバッテリーと、
印刷装置若しくは印刷装置と接続された外部装置に前記コンテンツの印刷を指示する印刷指示を送信するため、前記印刷装置若しくは前記外部装置と接続する印刷指示接続手段と、
前記印刷装置若しくは前記外部装置から前記バッテリーを充電するための電源の供給を受けるため、前記印刷装置若しくは前記外部装置と接続する受電接続手段と、
前記印刷指示接続手段及び前記受電接続手段の両方が接続されたか否かを判断する接続判断手段と、
前記接続判断手段により接続されたと判断された場合に、印刷のみ実行させる指示のメニュー及び印刷並びに充電の両方を実行させる指示のメニューを前記表示手段に表示させるメニュー表示制御手段と、
前記メニュー表示制御手段により前記表示手段に表示されているメニューのいずれかの選択を受け付ける選択受付手段と、
前記選択受付手段により前記印刷のみ実行させる指示のメニューが選択された場合、前記印刷指示接続手段から前記印刷指示を送信し、且つ、前記受電接続手段から電源の供給を受け付けず、前記印刷及び充電の両方を実行させる指示のメニューが選択された場合、前記印刷指示接続手段から前記印刷指示を送信し、且つ、前記受電接続手段から電源の供給を受け前記バッテリーの充電を行う印刷充電制御手段を備えたことを特徴とする表示装置。
【請求項２】
前記バッテリーの電池残量を検出する電池残量検出手段と、
前記電池残量検出手段により検出された電池残量が第一の所定の値よりも大きい場合には、前記メニュー表示制御手段は、前記表示手段に前記印刷及び充電の両方を実行させる指示のメニューを表示させないことを特徴とする請求項１に記載の表示装置。
【請求項３】
前記バッテリーの電池残量を検出する電池残量検出手段と、
前記電池残量検出手段により検出された電池残量が第二の所定の値よりも小さい場合には、前記メニュー表示制御手段は、前記表示手段に前記印刷のみ実行させる指示のメニューを表示させないことを特徴とする請求項１又は２に記載の表示装置。
【請求項４】
前記バッテリーの電池残量を検出する電池残量検出手段と、
前記電池残量検出手段により検出された電池残量が所定範囲内の値である場合には、前記メニュー表示制御手段は、前記印刷のみ実行させる指示のメニュー、及び、前記印刷並びに充電の両方を実行させる指示のメニューの両方を前記表示手段に表示させることを特徴とする請求項１乃至３のいずれかに記載の表示装置。
【請求項５】
前記コンテンツ記憶手段に記憶されているコンテンツのいずれかの印刷を指示する印刷指示手段とを備え、
メニュー表示制御手段では、前記印刷のみ実行させる指示のメニューを、前記接続判断手段により接続されたと判断された際に前記表示手段に表示されていたコンテンツの印刷指示のメニュー、及び、前記印刷指示手段により指示されたコンテンツの印刷指示のメニューとして表示し、前記印刷並びに充電の両方を実行させる指示のメニューを、前記接続判断手段により接続されたと判断された際に前記表示手段に表示されていたコンテンツの印刷指示並びに充電の両方を実行させる指示のメニュー、及び、前記印刷指示手段により指示されたコンテンツの印刷指示並びに充電の両方を実行させる指示のメニューとして表示することを特徴とする請求項１乃至４のいずれかに記載の表示装置。
【請求項６】
請求項１乃至５のいずれかに記載の表示装置と、
印刷を行う印刷手段とを備えた印刷装置又は前記印刷装置を接続した外部装置とから構成され、
前記印刷装置又は前記印刷装置を接続した外部装置は、
コンテンツの印刷指示を受信するため前記表示装置と接続する表示装置接続手段と、
前記表示装置のバッテリーに電源を供給するための電源供給手段とを備えたことを特徴とする充電制御システム。
【請求項７】
請求項１乃至５のいずれかに記載の表示装置の各種処理手段としてコンピュータを機能させることを特徴とする表示装置プログラム。
【発明の詳細な説明】
【技術分野】
【０００１】
本発明は、表示装置、充電制御システム及び表示装置プログラムに関するものであり、詳細には、表示装置の充電に関するものである。
【背景技術】
【０００２】
従来、携帯型の装置において、バッテリーによる電源供給が行われている。バッテリーを電源として用いる場合には、バッテリーへの充電が必要であり、ユーザはバッテリー残量を気にかけ充電処理を行う必要がある。そこで、特許文献１に記載の発明の撮像装置及びクレードル装置では、撮像装置と印刷装置とを接続して画像データを授受するクレードル装置に、撮像装置への電源供給のための電源制御部を備えている。そして、印刷装置に接続して撮影した画像データの印刷を行う際に、画像データの転送後自動的に充電を行っている。このように印刷等の充電以外の目的のために他の装置に接続した際に、目的の処理に併せて充電を行えば、充電するために、わざわざ電源供給を行う装置に携帯型の端末を接続するという手間が省ける。
【特許文献１】特開２００７−３６６９７号公報
【発明の開示】
【発明が解決しようとする課題】
【０００３】
しかしながら、特許文献１に記載の撮像装置及びクレードル装置では、印刷が行われた際に必ず充電が行われてしまうという問題点がある。ユーザとしては、充電は行わずに印刷だけ行いたい場合がある。例えば、バッテリー残量が十分にあるような場合には充電を行う必要がなく、充電を行うことにより過充電となってしまいバッテリーに負担をかけてしまうことがある。あるいは、印刷後すぐに接続を外し、携帯して端末を使いたい時場合であっても、充電完了まで待たなければならず、すぐに端末を使用できないという問題点がある。
【０００４】
本発明は、上述の問題点を解決するためになされたものであり、充電の手間を軽減する表示装置、充電制御システム及び表示装置プログラムを提供することを目的とする。
【課題を解決するための手段】
【０００５】
上記課題を解決するため、請求項１に係る発明の表示装置では、表示手段を備えた表示装置であって、コンテンツを記憶するコンテンツ記憶手段と、電源を供給するバッテリーと、印刷装置若しくは印刷装置と接続された外部装置に前記コンテンツの印刷を指示する印刷指示を送信するため、前記印刷装置若しくは前記外部装置と接続する印刷指示接続手段と、前記印刷装置若しくは前記外部装置から前記バッテリーを充電するための電源の供給を受けるため、前記印刷装置若しくは前記外部装置と接続する受電接続手段と、前記印刷指示接続手段及び前記受電接続手段の両方が接続されたか否かを判断する接続判断手段と、前記接続判断手段により接続されたと判断された場合に、印刷のみ実行させる指示のメニュー及び印刷並びに充電の両方を実行させる指示のメニューを前記表示手段に表示させるメニュー表示制御手段と、前記メニュー表示制御手段により前記表示手段に表示されているメニューのいずれかの選択を受け付ける選択受付手段と、前記選択受付手段により前記印刷のみ実行させる指示のメニューが選択された場合、前記印刷指示接続手段から前記印刷指示を送信し、且つ、前記受電接続手段から電源の供給を受け付けず、前記印刷及び充電の両方を実行させる指示のメニューが選択された場合、前記印刷指示接続手段から前記印刷指示を送信し、且つ、前記受電接続手段から電源の供給を受け前記バッテリーの充電を行う印刷充電制御手段を備えている。
【０００６】
また、請求項２に係る発明の表示装置では、請求項１に記載の発明の構成に加えて、前記バッテリーの電池残量を検出する電池残量検出手段と、前記電池残量検出手段により検出された電池残量が第一の所定の値よりも大きい場合には、前記メニュー表示制御手段は、前記表示手段に前記印刷及び充電の両方を実行させる指示のメニューを表示させないことを特徴とする。
【０００７】
また、請求項３に係る発明の表示装置では、請求項１又は２に記載の発明の構成に加えて、前記バッテリーの電池残量を検出する電池残量検出手段と、前記電池残量検出手段により検出された電池残量が第二の所定の値よりも小さい場合には、前記メニュー表示制御手段は、前記表示手段に前記印刷のみ実行させる指示のメニューを表示させないことを特徴とする。
【０００８】
また、請求項４に係る発明の表示装置では、請求項１乃至３のいずれかに記載の発明の構成に加えて、前記バッテリーの電池残量を検出する電池残量検出手段と、前記電池残量検出手段により検出された電池残量が所定範囲内の値である場合には、前記メニュー表示制御手段は、前記印刷のみ実行させる指示のメニュー、及び、前記印刷並びに充電の両方を実行させる指示のメニューの両方を前記表示手段に表示させることを特徴とする。
【０００９】
また、請求項５に係る発明の表示装置では、請求項１乃至４のいずれかに記載の発明の構成に加えて、前記コンテンツ記憶手段に記憶されているコンテンツのいずれかの印刷を指示する印刷指示手段とを備え、メニュー表示制御手段では、前記印刷のみ実行させる指示のメニューを、前記接続判断手段により接続されたと判断された際に前記表示手段に表示されていたコンテンツの印刷指示のメニュー、及び、前記印刷指示手段により指示されたコンテンツの印刷指示のメニューとして表示し、前記印刷並びに充電の両方を実行させる指示のメニューを、前記接続判断手段により接続されたと判断された際に前記表示手段に表示されていたコンテンツの印刷指示並びに充電の両方を実行させる指示のメニュー、及び、前記印刷指示手段により指示されたコンテンツの印刷指示並びに充電の両方を実行させる指示のメニューとして表示することを特徴とする。
【００１０】
また、請求項６に係る発明の充電制御システムでは、請求項１乃至５のいずれかに記載の表示装置と、印刷を行う印刷手段とを備えた印刷装置又は前記印刷装置を接続した外部装置とから構成され、前記印刷装置又は前記印刷装置を接続した外部装置は、コンテンツの印刷指示を受信するため前記表示装置と接続する表示装置接続手段と、前記表示装置のバッテリーに電源を供給するための電源供給手段とを備えている。
【００１１】
また、請求項７に係る発明の表示装置プログラムでは、請求項１乃至５のいずれかに記載の表示装置の各種処理手段としてコンピュータを機能させることを特徴とする。
【発明の効果】
【００１２】
請求項１に係る発明の表示装置では、コンテンツ記憶手段はコンテンツを記憶し、バッテリーは電源を供給し、印刷指示接続手段は、印刷装置若しくは印刷装置と接続された外部装置にコンテンツの印刷指示を送信するため、印刷装置若しくは外部装置と接続し、受電接続手段は、印刷装置若しくは外部装置からバッテリーを充電するための電源の供給を受けるため、印刷装置若しくは外部装置と接続し、接続判断手段は、印刷指示接続手段及び受電接続手段の両方が接続されたか否かを判断し、メニュー表示制御手段は、接続判断手段により接続されたと判断された場合に、印刷のみ実行させる指示のメニュー及び印刷並びに充電の両方を実行させる指示のメニューを表示手段に表示させ、選択受付手段は、メニュー表示制御手段により表示手段に表示されているメニューのいずれかの選択を受け付けると、印刷充電制御手段は、選択受付手段により印刷のみ実行させる指示のメニューが選択された場合、印刷指示接続手段から印刷指示を送信し、且つ、受電接続手段から電源の供給を受け付けず、印刷及び充電の両方を実行させる指示のメニューが選択された場合、印刷指示接続手段から印刷指示を送信し、且つ、受電接続手段から電源の供給を受けバッテリーの充電を行うことができる。したがって、印刷装置に接続して充電を行うことができる。さらに、印刷並びに充電の指示のメニューを選択すれば、印刷だけでなく充電も一緒に行うことができ、充電のためだけに他の機器に接続しなくてよいので便利である。
【００１３】
また、請求項２に係る発明の表示装置では、請求項１に記載の発明の効果に加えて、電池残量検出手段は、バッテリーの電池残量を検出し、電池残量検出手段により検出された電池残量が第一の所定の値よりも大きい場合には、メニュー表示制御手段は、表示手段に印刷及び充電の両方を実行させる指示のメニューを表示させないようにできる。したがって、第一の所定をバッテリーの充電の必要がない電池残量とした場合に、充電の必要のない際には充電を指示するメニューが表示されないので、不要な充電を指示するメニューが選択されることがない。よって、バッテリーを過充電してしまうのを防ぐことができる。
【００１４】
また、請求項３に係る発明の表示装置では、請求項１又は２に記載の発明の効果に加えて、電池残量検出手段は、バッテリーの電池残量を検出し、電池残量検出手段により検出された電池残量が第二の所定の値よりも小さい場合には、メニュー表示制御手段は、表示手段に印刷のみ実行させる指示のメニューを表示させないようにできる。したがって、第二の所定の値を充電の必要がある値とすれば、充電の必要がある際には、充電を行う指示しか行えなくなり、必ず充電が行われる。よって、充電忘れによりバッテリー切れとなってしまうことがない。
【００１５】
また、請求項４に係る発明の表示装置では、請求項１乃至３のいずれかに記載の発明の効果に加えて、電池残量検出手段は、バッテリーの電池残量を検出し、電池残量検出手段により検出された電池残量が所定範囲内の値である場合には、メニュー表示制御手段は、印刷のみ実行させる指示のメニュー、及び、印刷並びに充電の両方を実行させる指示のメニューの両方を表示手段に表示させることができる。したがって、電池残量が所定範囲内の場合には、どちらの指示も行うことができ、ユーザの望む指示を受け付けることができる。
【００１６】
また、請求項５に係る発明の表示装置では、請求項１乃至４のいずれかに記載の発明の効果に加えて、印刷指示手段は、前記コンテンツ記憶手段に記憶されているコンテンツのいずれかの印刷を指示することができる。そして、メニュー表示制御手段では、前記印刷のみ実行させる指示のメニューを、前記接続判断手段により接続されたと判断された際に前記表示手段に表示されていたコンテンツの印刷指示のメニュー、及び、前記印刷指示手段により指示されたコンテンツの印刷指示のメニューとして表示し、前記印刷並びに充電の両方を実行させる指示のメニューを、前記接続判断手段により接続されたと判断された際に前記表示手段に表示されていたコンテンツの印刷指示並びに充電の両方を実行させる指示のメニュー、及び、前記印刷指示手段により指示されたコンテンツの印刷指示並びに充電の両方を実行させる指示のメニューとして表示することができる。したがって、予め印刷の指示が行われていたコンテンツを印刷することができ、さらに、印刷装置若しくは印刷装置を接続された外部装置に接続した際に、表示させていたコンテンツの印刷指示を行うこともできるので、柔軟な印刷指示を行うことができる。
【００１７】
また、請求項６に係る発明の充電制御システムでは、請求項１乃至５のいずれかに記載の表示装置を備え、印刷装置又は印刷装置を接続した外部装置の表示装置接続手段は、コンテンツの印刷指示を受信するため表示装置と接続し、電源供給手段は、表示装置のバッテリーに電源を供給することができる。したがって、請求項１乃至５のいずれかに記載の表示装置と同様の効果を奏すことができる。
【００１８】
また、請求項７に係る発明の表示装置プログラムでは、請求項１乃至５のいずれかに記載の表示装置の各種処理手段としてコンピュータを機能させることができる。したがって、請求項１乃至５のいずれかに記載の表示装置と同様の効果を奏すことができる。
【発明を実施するための最良の形態】
【００１９】
以下、本発明の一実施の形態を図面を参照して説明する。まず、図１を参照して、本発明の「表示装置」に該当する閲覧端末１、「印刷装置」に該当する複合機２について説明する。図１は、閲覧端末１及び複合機２の電気的構成を示す模式図である。
【００２０】
図１に示すように、複合機２は、印刷装置、通信装置、電話機、ファクシミリ、スキャナ、コピー機の機能を備えた装置である。本発明では、印刷を行う印刷装置としての機能が最低限必要な機能である。複合機２には、複合機２の制御を司るＣＰＵを備えた複合機コントローラ２０が設けられ、複合機コントローラ２０には、複合機２を動作させるためのプログラム等を記憶したＲＯＭ２１と、各種のデータを一時的に記憶するＲＡＭ２２と、表示画面である液晶ディスプレイ（ＬＣＤ）２５と、ユーザによる入力を受け付ける操作キー２６と、印刷部２８で印刷する印刷データを記憶するための印刷バッファ２９と、複合機２を駆動するための電源を供給する電源供給部２７とがバスを介して接続されている。
【００２１】
さらに、印刷装置として機能するために、印刷を行う印刷部２８が備えられており、複合機コントローラ２０に接続している。本実施の形態では、複合機２はインクジェット式の印刷を行うものとする。よって、印刷部２８にはインクジェットヘッドの各チャンネルに設けられた圧電アクチュエータを駆動させるためのヘッド駆動部、印刷用紙を搬送するための搬送ローラを駆動するためのローラ駆動部等が設けられている。
【００２２】
そして、複合機２にはさらにスキャナ部２４及びモデム４１が設けられており、複合機コントローラ２０に接続している。なお、モデム４１には公衆回線４に接続するための回線制御部４２が接続されており、回線制御部４２には音声を入出力するハンドセット４３が接続されている。
【００２３】
そして、複合機２には閲覧端末１と接続するための通信用コネクタ４８及び充電用コネクタ４９とが設けられている。通信用コネクタ４８は印刷バッファ２９に接続しており、閲覧端末１から送信された印刷データを受信する際の接続に用いられる。そして、充電用コネクタ４９は電源供給部２７に接続しており、閲覧端末１へ電源を供給する際の接続に用いられる。
【００２４】
次に、図１乃至図３を参照して、閲覧端末１について説明する。閲覧端末１は、メモリカード３０に記憶されているコンテンツを表示部１５に表示させる。まず、図２を参照して、閲覧端末１の外観について説明する。閲覧端末１の正面は平面視略長方形であり、その大部分の領域に表示部１５が設けられている。そして、表示部１５の右には、操作キー１６として、印刷ボタン１６１，決定ボタン１６２，十字キー１６３が設けられている。印刷ボタン１６１は、コンテンツの印刷を指示する際に操作され、決定ボタン１６２は、各種メニューやコンテンツの選択等を決定する際に操作される。そして、十字キー１６３は、各種メニューやコンテンツを選択させるために、カーソルを移動させる際になどに操作される。十字キー１６３は図２に示すように十字形状をしており、上に凸になった部分を押下するとカーソルが上に移動し、下に凸になった部分を押下するとカーソルが下に移動し、左に凸になった部分を押下するとカーソルが左に移動し、右に凸になった部分を押下するとカーソルが右に移動する。さらに、閲覧端末１の正面の下端には複合機２に接続するための通信用コネクタ３８及び充電用コネクタ３９が設けられている。
【００２５】
図１に示すように、閲覧端末１には、閲覧端末１の制御を司るＣＰＵを備えた閲覧端末コントローラ１０が設けられ、閲覧端末コントローラ１０には、閲覧端末１を動作させるための閲覧プログラム等を記憶したＲＯＭ１１と、各種のデータを一時的に記憶するＲＡＭ１２と、表示部１５の制御を行う表示コントローラ１４と、ユーザによる入力を受け付ける操作キー１６と、メモリカード３０を接続するためのメモリカードコントローラ１３と、複合機２へ送信するデータや複合機２から受信するデータが記憶される送受信バッファ１８とがバスを介して接続されている。さらに、閲覧端末１には、閲覧端末１を駆動するためのバッテリー１９が設けられている。そして、充電コントローラ１７が閲覧端末コントローラ１０に接続している。充電コントローラ１７は、周知の充電をコントロールするＩＣチップであり、バッテリー１９の電圧を計測したり、充電の開始／終了の管理を行ったりする。なお、本実施の形態では、電圧が３．８Ｖ以上となれば、充電は終了される。
【００２６】
さらに、閲覧端末１には、複合機２と接続するための通信用コネクタ３８及び充電用コネクタ３９とが設けられている。通信用コネクタ３８は、送受信バッファ１８に接続しており、送受信バッファ１８に記憶されているデータを複合機２へ送信したり、複合機２から送信されたデータを受信したりする際の接続に用いられる。そして、充電用コネクタ３９はバッテリー１９に接続しており、バッテリー１９への充電を行うための複合機２との接続に用いられる。
【００２７】
このような構成の閲覧端末１及び複合機２は、通信用コネクタ３８と通信用コネクタ４８とを接続することにより、データの授受を行うことができる。そして、充電用コネクタ３９と充電用コネクタ４９とを接続することにより、閲覧端末１のバッテリー１９の充電を行うことができる。なお、本実施の形態では、閲覧端末１の通信用コネクタ３８及び充電用コネクタ３９は一体で形成され、複合機２の通信用コネクタ４８及び充電用コネクタ４９も一体で形成されており、通信用コネクタ３８と通信用コネクタ４８とが接続すると、充電用コネクタ３９と充電用コネクタ４９とも接続するように構成されている。なお、充電用コネクタ３９と充電用コネクタ４９とが接続されても、すぐに充電が行われるのではなく、充電コントローラ１７にて充電の開始が管理され、充電コントローラ１７は閲覧端末コントローラ１０から充電開始の指示が行われた際に、充電を開始させるように制御されている。
【００２８】
次に、図３を参照して、閲覧端末１のＲＡＭ１２に設けられている記憶エリアについて説明する。図３は、閲覧端末１のＲＡＭ１２に設けられている記憶エリアの構成を示す模式図である。図３に示すように、ＲＡＭ１２には、マークコンテンツ記憶エリア１２１，表示中コンテンツ記憶エリア１２２，選択コンテンツＩＤ記憶エリア１２３，表示コンテンツＩＤ記憶エリア１２４，表示ページ番号記憶エリア１２５，選択メニュー記憶エリア１２６が設けられている。なお、ＲＡＭ１２には、その他の記憶エリアも設けられている。
【００２９】
マークコンテンツ記憶エリア１２１には、閲覧端末１において表示可能なコンテンツの一覧（図２：コンテンツリスト画面１０１参照）から、印刷するコンテンツが指示された際に、印刷指示の行われたコンテンツを示す情報（コンテンツＩＤ）や、閲覧端末１において表示中のコンテンツ（図４：閲覧画面１０２参照）の印刷が指示された際に、印刷指示の行われたコンテンツのコンテンツＩＤ及び印刷するページが記憶される。そして、表示中コンテンツ記憶エリア１２２には、複合機２に接続された時に表示されていたコンテンツ（図４：閲覧画面１０２参照）のコンテンツＩＤ及びページを示すページ番号が記憶される。選択コンテンツＩＤ記憶エリア１２３には、コンテンツリスト画面１０１で選択されているコンテンツのコンテンツＩＤが記憶され、表示コンテンツＩＤ記憶エリア１２４には、閲覧画面１０２に表示されているコンテンツのコンテンツＩＤが記憶され、表示ページ番号記憶エリア１２５には、閲覧画面１０２に表示されているコンテンツのページを示すページ番号が記憶される。選択メニュー記憶エリア１２６には、複合機接続メニュー画面１１０（図５乃至図７：複合機接続メニュー画面１１１，１１２，１１３参照）で選択されているメニューを示す値が記憶される。
【００３０】
次に、図２、図４乃至図９を参照して、閲覧端末１に表示される各種画面について説明する。図２は、コンテンツリスト画面１０１を表示部１５に表示した状態の閲覧端末１の正面図であり、図４は、閲覧画面１０２を表示部１５に表示した状態の閲覧端末１の正面図である。そして、図５は、全メニューを選択可能な複合機接続メニュー画面１１１を表示部１５に表示した状態の閲覧端末１の正面図であり、図６は、充電しないメニューのみが選択可能な複合機接続メニュー画面１１２を表示部１５に表示した状態の閲覧端末１の正面図であり、図７は、充電するメニューのみが選択可能な複合機接続メニュー画面１１３を表示部１５に表示した状態の閲覧端末１の正面図である。そして、図８は、印刷状態表示画面１３１を表示部１５に表示した状態の閲覧端末１の正面図であり、図９は、充電画面１３２を表示部１５に表示した状態の閲覧端末１の正面図である。
【００３１】
次に、図２を参照して、コンテンツリスト画面１０１について説明する。コンテンツリスト画面１０１には、メモリカード３０に記憶されており、表示部１５に表示させることのできるコンテンツの一覧が表示される。図２に示す例では、「株式投資の基礎」，「街のケーキ屋さん」，「アントワネットの生涯」，「おいしい紅茶の淹れ方」，「ツボ押しで健康！」，「空飛ぶきりんの話」，「織田信長」というコンテンツ名が表示されている。このコンテンツリスト画面では、十字キー１６３を操作することにより、カーソルを上下に移動させてコンテンツ名を選択することができる。選択されているコンテンツは反転表示される。図２に示す例では、「おいしい紅茶の淹れ方」というコンテンツが選択されている。そして、このコンテンツリスト画面において、決定ボタン１６２が押下されると、選択されているコンテンツの内容が表示される（図４：閲覧画面１０２参照）。そして、印刷ボタン１６１が押下されると、選択されているコンテンツのすべてのページを印刷する指示がなされたものとして、マークコンテンツ記憶エリア１２１に選択されているコンテンツのコンテンツＩＤが記憶される。
【００３２】
次に、図４を参照して、閲覧画面１０２について説明する。図４に示すように、閲覧画面１０２には、コンテンツの内容が表示されている。図４に示す例では、「おいしい紅茶の淹れ方」というコンテンツの内容が「第１章  紅茶の種類  紅茶にはたくさんの種類があります。ダージリン、ウバ、・・・・（以下、省略）」と表示されている。このコンテンツ表示画面では十字キー１６３の右に凸になった部分を押下すると次頁が表示され、左に凸になった部分を押下すると前頁が表示される。なお、表示部左下の「１」はページ番号である。また、印刷ボタン１６１を押下すると、表示されているページを印刷する指示がなされたものとして、表示中コンテンツ記憶エリア１２２に記憶されているコンテンツＩＤ及び表示ページ番号記憶エリア１２５に記憶されているページ番号がマークコンテンツ記憶エリア１２１に記憶される。
【００３３】
次に、図５乃至図７を参照して、全メニューを選択可能な複合機接続メニュー画面１１１，充電しないメニューのみが選択可能な複合機接続メニュー画面１１２，充電するメニューのみが選択可能な複合機接続メニュー画面１１３について説明する。なお、図５乃至図７に示す複合機接続メニュー画面１１１〜１１３をまとめて、複合機接続メニュー画面１１０ということとする。複合機接続メニュー画面１１０は、閲覧端末１を複合機２に接続した際に表示される画面である。
【００３４】
図５乃至図７に示すように、複合機接続メニュー画面１１０には、１〜５のメニューが表示される。１番目のメニュー（第一メニュー）は、「表示中コンテンツを印刷（充電しない）」メニューであり、複合機２と接続する際に表示部１５に表示されていたコンテンツのページ（表示中コンテンツ記憶エリア１２２に記憶されているコンテンツの、表示ページ番号記憶エリア１２５に記憶されているページ）が印刷され、同時に閲覧端末１の充電は行われない。２番目のメニュー（第二メニュー）は、「マークコンテンツを印刷（充電しない）」メニューであり、マークコンテンツ記憶エリア１２１に記憶されているコンテンツＩＤの指定ページが印刷され、同時に閲覧端末１の充電は行われない。３番目のメニュー（第三メニュー）は、「表示中コンテンツを印刷（充電する）」メニューであり、複合機２と接続する際に表示部１５に表示されていたコンテンツのページ（表示中コンテンツ記憶エリア１２２に記憶されているコンテンツの、表示ページ番号記憶エリア１２５に記憶されているページ）が印刷され、同時に閲覧端末１の充電が行われる。４番目のメニュー（第四メニュー）は、「マークコンテンツを印刷（充電する）」メニューであり、マークコンテンツ記憶エリア１２１に記憶されているコンテンツＩＤの指定ページが印刷され、同時に閲覧端末１の充電が行われる。５番目のメニュー（第五メニュー）は、「充電する」メニューであり、印刷は行われず、閲覧端末１の充電のみが行われる。
【００３５】
これらの複合機接続メニュー画面１１０では、十字キー１６３を操作することにより、カーソルを上下に移動させメニューを選択することができる。そして、選択されているメニューは、コンテンツリスト画面１０１と同様に反転表示される。なお、図５乃至図７では、見易さのため、反転表示せず、どのメニューが選択されているかは記載しない。
【００３６】
さらに、複合機接続メニュー画面１１０では、表示部１５の右下にバッテリー１９の電池残量を示す電池残量グラフ１９０が表示されている。この電池残量グラフ１９０は、５つのブロックで構成されており、電池残量が多いほど多くのブロックが塗り潰されて表示される。本実施の形態では、３Ｖ以下で要充電とし、３．８Ｖ以上でフル充電としているので、例えば、３Ｖ以下で一番右のブロックのみ塗り潰し表示させ、３Ｖ超３．３Ｖ未満で右から２つのブロックを塗り潰し表示させ、３．３Ｖ以上３．６Ｖ未満で右から３つのブロックを塗り潰し表示させ、３．６Ｖ以上３．８Ｖ未満で右から４つのブロックを塗り潰し表示させ、３．８Ｖ以上ですべてのブロックを塗り潰し表示させる。
【００３７】
そして、図５に示す全メニューを選択可能な複合機接続メニュー画面１１１では、電池残量グラフ１９０は、５個中２個のブロックが塗り潰されており、フル充電されてもいないが、電池残量が少なすぎる状態でもないことを示している。そこで、充電しても充電しなくてもよいので、「１」〜「５」のすべてのメニューが選択可能となっている。そして、図６に示す充電しないメニューのみが選択可能な複合機接続メニュー画面１１２では、電池残量グラフ１９０は、５個すべてのブロックが塗り潰されており、フル充電の状態であることを示している。よって、「１」，「２」のメニューは選択可能であるが、「３」〜「５」のメニューは選択不可能となっており、「３」〜「５」のメニューは文字色がグレーとされている。つまり、複合機接続メニュー画面１１２では、充電の必要がないので、充電しないメニューしか選択できない。そして、図７に示す充電するメニューのみが選択可能な複合機接続メニュー画面１１３では、電池残量グラフ１９０は、１つのブロックも塗り潰されていない。そこで、「３」〜「５」のメニューは選択可能であるが、「１」，「２」のメニューが選択不可能となっており、「１」，「２」のメニューは文字色がグレーとされている。つまり、複合機接続メニュー画面１１３では、充電の必要があるので、充電するメニューしか選択できない。なお、これらの複合機接続メニュー画面１１０は、閲覧端末１のバッテリー１９の電池残量に基づいてどの画面が表示されるのか決定される。詳細については、図１３に示すフローチャートを参照して後述する。
【００３８】
次に、図８を参照して、印刷状態表示画面１３１について説明する。この印刷状態表示画面１３１は、複合機２で印刷を実行している最中に閲覧端末１の表示部１５に表示される画面であり、印刷がどの程度進行したかを示す進行帯グラフ２８０が表示されている。進行帯グラフ２８０は、左から右に向かって０％〜１００％を示しており、印刷が進行した割合だけ塗り潰して表示される。図８に示す例では、４０％の印刷が完了していることを示している。さらに、進行帯グラフ２８０の上には「４／１０ページ目印刷中」というメッセージも表示されており、全部で１０ページ印刷する中の４ページ目を印刷していることがわかる。なお、印刷状態表示画面１３１にも電池残量グラフ１９０が表示されている。
【００３９】
次に、図９を参照して、充電画面１３２について説明する。この充電画面１３２は、複合機２に接続して充電が行われている際中に閲覧端末１の表示部１５に表示される画面である。充電画面１３２には「充電中です！！」のメッセージ及び電池残量グラフ１９０が表示されている。この電池残量グラフ１９０は充電が進むと共に更新されるので、どのくらい充電が行われたかを知ることができる。なお、「充電中です！！」のメッセージは、充電が完了すると「充電が完了しました」とのメッセージに変更される。
【００４０】
次に、図１０乃至１７のフローチャートを参照して、閲覧端末１で行われる処理について説明する。図１０は、閲覧端末１のメイン処理のフローチャートであり、図１１は、メイン処理の中で行われる印刷指示処理のフローチャートであり、図１２は、メイン処理の中で行われる表示処理のフローチャートであり、図１３は、メイン処理の中で行われる接続処理のフローチャートである。そして、図１４は、接続処理の中で行われる第一メニュー処理のフローチャートであり、図１５は、接続処理の中で行われる第二メニュー処理のフローチャートであり、図１６は、接続処理の中で行われる第三メニュー処理のフローチャートであり、図１７は、接続処理の中で行われる第四メニュー処理のフローチャートであり、図１８は、接続処理の中で行われる第五メニュー処理のフローチャートである。
【００４１】
図１０に示すメイン処理は、閲覧端末１の電源が投入され、動作確認等の初期処理が行われた後に、閲覧端末コントローラ１０が閲覧端末プログラムを実行することにより開始される。ここでは、メイン処理のうち、本発明に関わる部分についてのみ詳述し、他の処理については省略する。まず、電源ＯＦＦの指示が行われたか否かの判断が行われる（Ｓ１）。電源ＯＦＦの指示が行われていない場合には（Ｓ１：ＮＯ）、通信用コネクタ３８及び充電用コネクタ３９が共に複合機２に接続しているか否かの判断が行われる（Ｓ２）。通信用コネクタ３８を介して複合機２と通信確認のデータの授受ができた場合には、通信用コネクタ３８が複合機２の通信用コネクタ４８と接続していると判断され、充電コントローラ１７が充電用コネクタ３９から電圧を検出できた場合には、充電用コネクタ３９が複合機２の充電用コネクタ４９と接続していると判断される（Ｓ２：ＹＥＳ）。そして、接続処理が行われる（Ｓ５、図１３乃至図１８参照）。そして、接続処理が終了したらＳ１へ戻る。なお、接続処理については、図１３乃至図１８を参照して、後に詳述する。
【００４２】
また、複合機２と接続していないと判断された場合には（Ｓ２：ＮＯ）、印刷ボタン１６１が押下されたか否かの判断が行われる（Ｓ３）。印刷ボタン１６１が押下されていれば（Ｓ３：ＹＥＳ）、印刷指示処理が行われる（Ｓ６、図１１参照）。この印刷指示処理については、図１１を参照して、後に詳述する。また、印刷ボタン１６１も押下されていない場合には（Ｓ３：ＮＯ）、決定ボタン１６２が押下されたか否かの判断が行われる（Ｓ４）。決定ボタンが押下された場合には（Ｓ４：ＹＥＳ）、決定処理が行われる（Ｓ７、図１２参照）。この決定処理については、図１２を参照して、後に詳述する。また、決定ボタン１６２も押下されていない場合には（Ｓ４：ＮＯ）、その他の処理が行われる（Ｓ８）。そして、Ｓ１へ戻る。
【００４３】
なお、その他の処理とは、閲覧端末１で行われる他の動作を行うための処理である。その他の処理とは、例えば、コンテンツリスト画面１０１において十字キー１６３の操作を受け付け、選択されているコンテンツのコンテンツＩＤを選択コンテンツＩＤ記憶エリア１２３に記憶し、カーソルを移動させて表示を更新する処理である。他には、閲覧画面１０２において十字キー１６３の操作を受け付け、表示ページ番号記憶エリア１２５のページ番号を変更し、表示部１５に変更後のページ番号のページの内容を表示させる処理などである。
【００４４】
そして、Ｓ１〜Ｓ６の処理が繰り返し実施され、電源ＯＦＦの指示が行われたら（Ｓ１：ＹＥＳ）、本処理は終了し、電源ＯＦＦのための処理が行われた後、閲覧端末１は電源ＯＦＦされる。
【００４５】
次に、図１１のフローチャートを参照して、印刷指示処理について説明する。前述したように、この印刷指示処理は、印刷ボタン１６１が押下された際に実行される（図１０、Ｓ３：ＹＥＳ）。まず、表示部１５に表示されているのが閲覧画面１０２であるか否かにより、表示中コンテンツの印刷指示であるか否かの判断が行われる（Ｓ１１）。表示中コンテンツの印刷指示である場合には（Ｓ１１：ＹＥＳ）、表示コンテンツＩＤ記憶エリア１２４に記憶されているコンテンツＩＤ及び表示ページ番号記憶エリア１２５に記憶されているページ番号がマークコンテンツ記憶エリア１２１に記憶される（Ｓ１４）。そして、印刷指示処理は終了し、メイン処理へ戻る。
【００４６】
一方、表示中コンテンツの印刷指示でない場合には（Ｓ１１：ＮＯ）、コンテンツリスト画面１０１が表示されているか否かにより、一覧からの印刷指示であるか否かの判断が行われる（Ｓ１２）。一覧からの印刷指示である場合には（Ｓ１２：ＹＥＳ）、選択コンテンツＩＤ記憶エリア１２３に記憶されているコンテンツＩＤがマークコンテンツ記憶エリア１２１に記憶される（Ｓ１３）。そして、印刷指示処理は終了し、メイン処理へ戻る。なお、一覧からの印刷指示でもない場合には（Ｓ１２：ＮＯ）、閲覧画面１０２，コンテンツリスト画面１０１のいずれでもない画面で印刷ボタン１６１が押下されたことになるので、誤操作と判断して、何も行わずに、本処理は終了してメイン処理へ戻る。
【００４７】
次に、図１２のフローチャートを参照して、決定処理について説明する。前述したように、この決定処理は、決定ボタン１６２が押下された際に実行される（図１０、Ｓ４：ＹＥＳ）。まず、表示部１５に表示されているのがコンテンツリスト画面１０１であるか否かの判断が行われる（Ｓ１６）。コンテンツリスト画面１０１であれば（Ｓ１６：ＹＥＳ）、カーソルで選択されているコンテンツのコンテンツＩＤ、つまり、選択コンテンツＩＤ記憶エリア１２３に記憶されているコンテンツＩＤが表示中コンテンツ記憶エリア１２２に記憶され、表示ページ番号記憶エリア１２５には「１」が記憶される（Ｓ１７）。そして、表示部１５に表示中コンテンツ記憶エリア１２２に記憶されているＩＤのコンテンツの１ページ目が表示される（Ｓ１８）。そして、メイン処理へ戻る。
【００４８】
一方、コンテンツリスト画面１０１が表示されていない場合には（Ｓ１６：ＮＯ）、その他の処理が行われ（Ｓ１９）、メイン処理へ戻る。その他の処理としては、その他の画面（例えば、設定画面）などで、入力項目を決定させ、所定の記憶エリアに設定値を記憶させる処理など、その画面、選択項目に応じた処理である。
【００４９】
次に、図１３乃至図１８のフローチャートを参照して、接続処理について説明する。前述したように、この接続処理は、複合機２との接続が検知された際に実行される（Ｓ１０、Ｓ２：ＹＥＳ）。まず、バッテリー１９の充電状態が取得される（Ｓ２１）。これは、充電コントローラ１７において、バッテリー１９の電圧が計測され、出力される。バッテリー１９の電圧が３Ｖ以下であれば（Ｓ２２：ＹＥＳ）、バッテリー１９の電圧が低下しており、充電の必要がある。そこで、充電するメニューのみが選択可能な複合機接続メニュー画面１１３（図７参照）が表示される（Ｓ２６）。また、バッテリー１９の電圧が３Ｖ以下でなければ（Ｓ２２：ＮＯ）、３．８Ｖ以上であるか否かの判断が行われる（Ｓ２３）。３．８Ｖ以上である場合には（Ｓ２３：ＹＥＳ）、充電は充分に行われているので、充電をする必要はない。そこで、充電しないメニューのみが選択可能な複合機接続メニュー画面１１２（図６参照）が表示される（Ｓ２５）。また、３．８Ｖ以上でない場合には（Ｓ２３：ＮＯ）、バッテリーは３Ｖより大きく３．８Ｖよりも小さいので、充電しても充電しなくてもどちらでもよい。そこで、全メニューを選択可能な複合機接続メニュー画面１１１が表示される（Ｓ２４）。
【００５０】
複合機接続メニュー画面１１０が表示されたら（Ｓ２４，Ｓ２５，Ｓ２６）、 複合機接続メニュー画面１１０でのメニュー受け付け処理が行われる（Ｓ２７）。ここでは、十字キー１６３の押下に応じて、選択メニュー記憶エリア１２６へ選択されているメニューの番号を記憶し、カーソルを移動させる処理が行われる。そして、決定ボタン１６２が押下されたらＳ３１へ進む。なお、この選択メニューの受け付け処理が行われている間にも、複合機２との接続が定期的に確認され、複合機２との接続が断たれた場合には、接続処理は終了し、メイン処理へ戻る。
【００５１】
まず、Ｓ３１では、第一メニューが選択されたか否かの判断が行われる（Ｓ３１）。選択メニュー記憶エリア１２６に記憶されている値が第一メニューを示すものであれば（Ｓ３１：ＹＥＳ）、第一メニュー処理が行われる（Ｓ３６、図１４参照）。そして、Ｓ４１へ進む。また、選択メニュー記憶エリア１２６に記憶されている値が第二メニューを示すものであり、第一メニューが選択されておらず（Ｓ３１：ＮＯ）、第二メニューが選択されていれば（Ｓ３２：ＹＥＳ）、第二メニュー処理が行われる（Ｓ３７、図１５参照）。そして、Ｓ４１へ進む。また、選択メニュー記憶エリア１２６に記憶されている値が第三メニューを示すものであり、第二メニューが選択されておらず（Ｓ３２：ＮＯ）、第三メニューが選択されていれば（Ｓ３３：ＹＥＳ）、第三メニュー処理が行われる（Ｓ３８、図１６参照）。そして、Ｓ４１へ進む。また、選択メニュー記憶エリア１２６に記憶されている値が第四メニューを示すものであり、第三メニューが選択されておらず（Ｓ３３：ＮＯ）、第四メニューが選択されていれば（Ｓ３４：ＹＥＳ）、第四メニュー処理が行われる（Ｓ３９、図１７参照）。そして、Ｓ４１へ進む。
【００５２】
そして、選択メニュー記憶エリア１２６に記憶されている値が第五メニューを示すものであり、第四メニューが選択されておらず（Ｓ３４：ＮＯ）、第五メニューが選択されていれば（Ｓ３５：ＹＥＳ）、第五メニュー処理が行われる（Ｓ４０、図１８参照）。そして、Ｓ４１へ進む。また、選択メニュー記憶エリア１２６に記憶されている値が第五メニューを示すものでもなければ（Ｓ３５：ＮＯ）、Ｓ４１へ進む。
【００５３】
Ｓ４１では、複合機２に接続しているか否かの判断が行われる（Ｓ４１）。複合機２に接続していれば、Ｓ２１へ戻り、再びバッテリー１９の充電状態が取得される（Ｓ２１）。そして、Ｓ２２〜Ｓ４１の処理が行われる。そして、複合機２に接続していないと判断された場合には（Ｓ４１：ＮＯ）、メイン処理へ戻る。
【００５４】
次に、図１４を参照して、第一メニュー処理について説明する。第一メニュー処理は、第一メニュー「表示中コンテンツを印刷（充電しない）」が選択された際に行われる処理である。そこで、まず、表示中コンテンツ記憶エリア１２２に記憶されているコンテンツＩＤのコンテンツの、表示ページ番号記憶エリア１２５に記憶されているページを複合機２で印刷するための印刷データが作成され、送受信バッファ１８に記憶され、複合機２へ送信される（Ｓ１１１）。送信が完了したら、「転送完了通知」が作成されて、送受信バッファ１８に記憶されて、複合機２へ送信される（Ｓ１１２）。
【００５５】
複合機２では、「転送完了通知」を受信すると、印刷を実行し、所定のタイミングで「印刷状態通知」を閲覧端末１へ送信し、印刷が完了した際には「印刷完了通知」を送信する（図１９参照）。そこで、複合機２から送信される「印刷状態通知」を受信したら（Ｓ１１３：ＹＥＳ）、送受信バッファ１８に記憶された「印刷状態通知」に基づいて、印刷状態表示画面１３１（図８参照）が表示される（Ｓ１１４）。なお、「印刷状態通知」には、全印刷ページ数及び印刷完了ページ数が記載されている。そこで、これらのページ数に基づいて印刷状態表示画面１３１のメッセージ及び進行帯グラフ２８０が作成される。そして、Ｓ１１３へ戻り、再び「印刷状態通知」の受信の判断が行われる（Ｓ１１３）。「印刷状態通知」を受信していなければ（Ｓ１１３；ＮＯ）、「印刷完了通知」を受信したか否かの判断が行われる（Ｓ１１５）。「印刷完了通知」を受信していなければ（Ｓ１１５：ＮＯ）、Ｓ１１３へ戻り、再び「印刷状態通知」の受信の判断が行われる（Ｓ１１３）。
【００５６】
繰り返し、Ｓ１１３、Ｓ１１５の処理が行われ、「印刷状態通知」を受信したら（Ｓ１１４）、印刷状態表示画面１３１が更新される（Ｓ１１４）。そして、さらに繰り返してＳ１１３〜Ｓ１１５の処理が行われて、「印刷完了通知」を受信したら（Ｓ１１５：ＹＥＳ）、本処理は終了し、接続処理へ戻り、メイン処理へ戻る。なお、途中、複合機２へデータ送信（Ｓ１１１，Ｓ１１２）が行えない場合や、印刷状態通知や印刷完了通知の受信を待機する間（Ｓ１１３：ＮＯ，Ｓ１１５：ＮＯ）に複合機２との接続が断たれた場合には、本第一メニュー処理は終了して、接続処理へ戻る。
【００５７】
以上のようにして、第一メニューが選択された場合には、複合機２に対して表示中コンテンツの印刷指示が行われるが、充電は行われない。
【００５８】
次に、図１５を参照して、第二メニュー処理について説明する。第二メニュー処理は、第二メニュー「マークコンテンツを印刷（充電しない）」が選択された際に行われる処理である。そこで、まず、マークコンテンツ記憶エリア１２１に記憶されているコンテンツＩＤのコンテンツの指定ページを複合機２で印刷するための印刷データが作成され、送受信バッファ１８に記憶され、複合機２へ送信される（Ｓ１２１）。送信が完了したら、「転送完了通知」が作成されて、送受信バッファ１８に記憶されて、複合機２へ送信される（Ｓ１２２）。
【００５９】
複合機２では、「転送完了通知」を受信すると、印刷を実行し、所定のタイミングで「印刷状態通知」を閲覧端末１へ送信し、印刷が完了した際には「印刷完了通知」を送信する（図１９参照）。そこで、複合機２から送信される「印刷状態通知」を受信したら（Ｓ１２３：ＹＥＳ）、送受信バッファ１８に記憶された「印刷状態通知」に基づいて、印刷状態表示画面１３１（図８参照）が表示される（Ｓ１２４）。そして、Ｓ１２３へ戻り、再び「印刷状態通知」の受信の判断が行われる（Ｓ１２３）。「印刷状態通知」を受信していなければ（Ｓ１２３；ＮＯ）、「印刷完了通知」を受信したか否かの判断が行われる（Ｓ１２５）。「印刷完了通知」を受信していなければ（Ｓ１２５：ＮＯ）、Ｓ１２３へ戻り、再び「印刷状態通知」の受信の判断が行われる（Ｓ１２３）。
【００６０】
繰り返し、Ｓ１２３、Ｓ１２５の処理が行われ、「印刷状態通知」を受信したら（Ｓ１２４）、印刷状態表示画面１３１が更新される（Ｓ１２４）。そして、さらに繰り返してＳ１２３〜Ｓ１２５の処理が行われて、「印刷完了通知」を受信したら（Ｓ１２５：ＹＥＳ）、本処理は終了し、接続処理へ戻り、メイン処理へ戻る。なお、途中、複合機２へデータ送信（Ｓ１２１，Ｓ１２２）が行えない場合や、印刷状態通知や印刷完了通知の受信を待機する間（Ｓ１２３：ＮＯ，Ｓ１２５：ＮＯ）に複合機２との接続が断たれた場合には、本第二メニュー処理は終了して、接続処理へ戻る。
【００６１】
以上のようにして、第二メニューが選択された場合には、複合機２に対してマークコンテンツの印刷指示が行われるが、充電は行われない。
【００６２】
次に、図１６を参照して、第三メニュー処理について説明する。第三メニュー処理は、第三メニュー「表示中コンテンツを印刷（充電する）」が選択された際に行われる処理である。そこで、まず、充電コントローラ１７にバッテリー１９の充電開始の指示が行われ、充電が開始される（Ｓ１３０）。そして、表示中コンテンツ記憶エリア１２２に記憶されているコンテンツＩＤのコンテンツの、表示ページ番号記憶エリア１２５に記憶されているページを複合機２で印刷するための印刷データが作成され、送受信バッファ１８に記憶され、複合機２へ送信される（Ｓ１３１）。送信が完了したら、「転送完了通知」が作成されて、送受信バッファ１８に記憶されて、複合機２へ送信される（Ｓ１３２）。
【００６３】
複合機２では、「転送完了通知」を受信すると、印刷を実行し、所定のタイミングで「印刷状態通知」を閲覧端末１へ送信し、印刷が完了した際には「印刷完了通知」を送信する（図１９参照）。そこで、複合機２から送信される「印刷状態通知」を受信したら（Ｓ１３３：ＹＥＳ）、送受信バッファ１８に記憶された「印刷状態通知」に基づいて、印刷状態表示画面１３１（図８参照）が表示される（Ｓ１３４）。そして、Ｓ１３３へ戻り、再び「印刷状態通知」の受信の判断が行われる（Ｓ１３３）。「印刷状態通知」を受信していなければ（Ｓ１３３；ＮＯ）、「印刷完了通知」を受信したか否かの判断が行われる（Ｓ１３５）。「印刷完了通知」を受信していなければ（Ｓ１３５：ＮＯ）、Ｓ１３３へ戻り、再び「印刷状態通知」の受信の判断が行われる（Ｓ１３３）。
【００６４】
繰り返し、Ｓ１３３、Ｓ１３５の処理が行われ、「印刷状態通知」を受信したら（Ｓ１３４）、印刷状態表示画面１３１が更新される（Ｓ１３４）。そして、さらに繰り返してＳ１３３〜Ｓ１３５の処理が行われて、「印刷完了通知」を受信したら（Ｓ１３５：ＹＥＳ）、バッテリー１９の充電状態が取得され（Ｓ１３６）、充電画面１３２（図９参照）が表示される（Ｓ１３７）。そして、充電コントローラ１７に問合せを行い、充電が完了したか否かの判断が行われる（Ｓ１３８）。充電が完了してなければ（Ｓ１３８：ＮＯ）、Ｓ１３６へ戻り、再びバッテリー１９の充電状態が取得され（Ｓ１３６）、充電画面１３２の更新が行われる（Ｓ１３７）。そして、繰り返しＳ１３６〜Ｓ１３８の処理が行われ、充電が完了したら（Ｓ１３８：ＹＥＳ）、本処理は終了し、接続処理へ戻り、メイン処理へ戻る。なお、途中、複合機２へデータ送信（Ｓ１３１，Ｓ１３２）が行えない場合や、印刷状態通知や印刷完了通知の受信を待機する間（Ｓ１３３：ＮＯ，Ｓ１３５：ＮＯ）に複合機２との接続が断たれた場合や、バッテリー１９への電源の供給が断たれた場合には、本第三メニュー処理は終了して、接続処理へ戻る。
【００６５】
以上のようにして、第三メニューが選択された場合には、複合機２に対して表示中コンテンツの印刷指示が行われる。さらに、閲覧端末１の充電も行われる。
【００６６】
次に、図１７を参照して、第四メニュー処理について説明する。第四メニュー処理は、第四メニュー「マークコンテンツを印刷（充電する）」が選択された際に行われる処理である。そこで、まず、充電コントローラ１７にバッテリー１９の充電開始の指示が行われ、充電が開始される（Ｓ１４０）。そして、マークコンテンツ記憶エリア１２１に記憶されているコンテンツＩＤのコンテンツの指定ページを複合機２で印刷するための印刷データが作成され、送受信バッファ１８に記憶され、複合機２へ送信される（Ｓ１４１）。送信が完了したら、「転送完了通知」が作成されて、送受信バッファ１８に記憶されて、複合機２へ送信される（Ｓ１４２）。
【００６７】
複合機２では、「転送完了通知」を受信すると、印刷を実行し、所定のタイミングで「印刷状態通知」を閲覧端末１へ送信し、印刷が完了した際には「印刷完了通知」を送信する（図１９参照）。そこで、複合機２から送信される「印刷状態通知」を受信したら（Ｓ１４３：ＹＥＳ）、送受信バッファ１８に記憶された「印刷状態通知」に基づいて、印刷状態表示画面１３１（図８参照）が表示される（Ｓ１４４）。そして、Ｓ１４３へ戻り、再び「印刷状態通知」の受信の判断が行われる（Ｓ１４３）。「印刷状態通知」を受信していなければ（Ｓ１４３；ＮＯ）、「印刷完了通知」を受信したか否かの判断が行われる（Ｓ１４５）。「印刷完了通知」を受信していなければ（Ｓ１４５：ＮＯ）、Ｓ１４３へ戻り、再び「印刷状態通知」の受信の判断が行われる（Ｓ１４３）。
【００６８】
繰り返し、Ｓ１４３、Ｓ１４５の処理が行われ、「印刷状態通知」を受信したら（Ｓ１４４）、印刷状態表示画面１３１が更新される（Ｓ１４４）。そして、さらに繰り返してＳ１４３〜Ｓ１４５の処理が行われて、「印刷完了通知」を受信したら（Ｓ１４５：ＹＥＳ）、バッテリー１９の充電状態が取得され（Ｓ１４６）、充電画面１３２（図９参照）が表示される（Ｓ１４７）。そして、充電コントローラ１７に問合せを行い、充電が完了したか否かの判断が行われる（Ｓ１４８）。充電が完了してなければ（Ｓ１４８：ＮＯ）、Ｓ１４６へ戻り、再びバッテリー１９の充電状態が取得され（Ｓ１４６）、充電画面１３２の更新が行われる（Ｓ１４７）。そして、繰り返しＳ１４６〜Ｓ１４８の処理が行われ、充電が完了したら（Ｓ１４８：ＹＥＳ）、本処理は終了し、接続処理へ戻り、メイン処理へ戻る。なお、途中、複合機２へデータ送信（Ｓ１４１，Ｓ１４２）が行えない場合や、印刷状態通知や印刷完了通知の受信を待機する間（Ｓ１４３：ＮＯ，Ｓ１４５：ＮＯ）に複合機２との接続が断たれた場合や、バッテリー１９への電源の供給が断たれた場合には、本第四メニュー処理は終了して、接続処理へ戻る。
【００６９】
以上のようにして、第四メニューが選択された場合には、複合機２に対してマークコンテンツの印刷指示が行われる。さらに、閲覧端末１の充電も行われる。
【００７０】
次に、図１８を参照して、第五メニュー処理について説明する。第五メニュー処理は、第五メニュー「充電する」が選択された際に行われる処理である。そこで、まず、充電コントローラ１７にバッテリー１９の充電開始の指示が行われ、充電が開始される（Ｓ１５０）。そして、バッテリー１９の充電状態が取得され（Ｓ１５１）、充電画面１３２（図９参照）が表示される（Ｓ１５２）。そして、充電コントローラ１７に問合せを行い、充電が完了したか否かの判断が行われる（Ｓ１５３）。充電が完了してなければ（Ｓ１５３：ＮＯ）、Ｓ１５１へ戻り、再びバッテリー１９の充電状態が取得され（Ｓ１５１）、充電画面１３２の更新が行われる（Ｓ１５２）。そして、繰り返しＳ１５１〜Ｓ１５３の処理が行われ、充電が完了したら（Ｓ１５３：ＹＥＳ）、本処理は終了し、接続処理へ戻り、メイン処理へ戻る。なお、バッテリー１９への電源の供給が断たれた場合には、本第一メニュー処理は終了して、接続処理へ戻る。
【００７１】
以上のようにして、第五メニューが選択された場合には、閲覧端末１の充電のみが行われる。
【００７２】
次に、図１９のフローチャートを参照して、複合機２で行われる複合機処理について説明する。図１９は、複合機２で行われる複合機処理のフローチャートである。この複合機処理は、閲覧端末１の接続を検知すると開始される処理である。閲覧端末１は、複合機２に接続すると複合機接続メニュー画面１１０を表示し、第一メニュー〜第五メニューのいずれかの選択を受け付け、メニューに応じた処理が行われる（図１３参照）。第一メニュー〜第四メニューでは通信用コネクタ３８から印刷データを送信する。第五メニューでは、充電を行うだけであるので、通信用コネクタ３８からのデータ送信は行われない。
【００７３】
そこで、印刷データを通信用コネクタ４８から受信したか否かの判断が行われる（Ｓ２０１）。通信用コネクタ４８から印刷データを受信すると、印刷バッファ２９へ受信した印刷データが記憶される。そこで、印刷バッファ２９に印刷データが記憶されているか否かにより印刷データを受信したか否かの判断が行われる（Ｓ２０１）。印刷データを受信していなければ（Ｓ２０１：ＮＯ）、繰り返し印刷データ受信の判断が行われる（Ｓ２０２）。そして、印刷データを受信したら（Ｓ２０１：ＹＥＳ）、次に送信されてくる「転送完了通知」を受信したか否かの判断が行われる（Ｓ２０２）。「転送完了通知」を受信していなければ（Ｓ２０２：ＮＯ）、繰り返し「転送完了通知」の受信の判断が行われ（Ｓ２０２）、「転送完了通知」を受信したら（Ｓ２０２：ＹＥＳ）、印刷バッファ２９に記憶されている印刷データの印刷が印刷部２８で実施される（Ｓ２０３）。そして、閲覧端末１へ「印刷状態通知」が送信される（Ｓ２０４）。ここでは、印刷データから全印刷ページ数が取得され、印刷部２８から印刷完了ページ数が取得される。そして、「印刷状態通知」に、全印刷ページ数及び印刷完了ページ数を記載して、通信用コネクタ４８から送信される。
【００７４】
そして、印刷が完了したか否かの判断が行われる（Ｓ２０５）。全印刷ページ数と印刷完了ページ数とが同じである場合には全ページの印刷が完了していると判断される（Ｓ２０５：ＹＥＳ）。全印刷ページ数と印刷完了ページ数とが同じでなく、印刷が完了していない場合には（Ｓ２０５：ＮＯ）、Ｓ２０４へ戻り、再度「印刷状態通知」が閲覧端末１へ送信される（Ｓ２０４）。そして、繰り返しＳ２０４，Ｓ２０５の処理が実行され、印刷が完了したら（Ｓ２０５：ＹＥＳ）、閲覧端末１へ「印刷完了通知」が送信される（Ｓ２０６）。そして、Ｓ２０１へ戻り、再び、印刷データの受信の判断が行われる（Ｓ２０１）。
【００７５】
なお、印刷データの受信を待機したり（Ｓ２０１：ＮＯ、Ｓ２０１）、転送完了通知の受信を待機したり（Ｓ２０２：ＮＯ、Ｓ２０２）している間には、定期的に閲覧端末１との接続が検知され、接続が断たれた場合には、複合機処理は終了する。また、Ｓ２０４やＳ２０６において閲覧端末１へ印刷状態通知や印刷完了通知が送信できない場合にも、閲覧端末１との接続が断たれたとして、複合機処理は終了する。なお、第五メニューが選択された際にこの処理が実施され端末場合には、印刷データの受信を待機し続ける（Ｓ２０１：ＮＯ、Ｓ２０１）。そして、充電が完了してユーザが閲覧端末１の接続を解除した時点で、閲覧端末１との接続が断たれたとして、本複合機処理は終了されることとなる。
【００７６】
以上のようにして、閲覧端末１を複合機２に接続した際に、印刷を指示するだけでなく、充電の指示も行うことができる。その際に用いられる複合機接続メニュー画面１１０では、バッテリー１９の電池残量に基づいて選択できるメニューを決定している。バッテリー１９の電圧が３Ｖ以下であり、電池残量が少ない場合には、充電する必要があるので、充電するメニューのみが選択可能となっている（図７の複合機接続メニュー画面１１３参照）。また、バッテリー１９の電圧が３．８Ｖ以上であり、フル充電の状態では、充電することにより過充電となり、バッテリー１９に負担をかけてしまわないように、充電するメニューが選択できないようになっている（図６の複合機接続メニュー画面１１２参照）。また、バッテリー１９の電圧が３Ｖ以下でも３．８以上でもない場合には、充電するメニューも充電しないメニューも選択可能となっている（図５の複合機接続メニュー画面１１１参照）。
【００７７】
よって、充電の必要がある場合には必ず充電が行われるので、閲覧端末１がうっかり電池切れとしてしまうことを防ぐことができる。さらに、充電をしない方がよい場合には充電は行えないので、バッテリー１９を過充電から保護できる。さらに、充電してもしなくてもよい場合には、充電するかしないかをユーザが選択できる。したがって、印刷装置に接続して充電を行うことができ、充電のためだけに他の機器に接続しなくてよいので便利である。また、充電のみ行うメニュー（第五メニュー）もあるので、印刷の必要がない場合であっても、複合機２に接続することで充電できる。よって、充電のためだけに使用する機器が必要ない。
【００７８】
また、上記実施の形態では、表示しているコンテンツの印刷を指示したり、一覧からコンテンツを選んで印刷指示したりできるので、柔軟に印刷の指示を行うことができる。
【００７９】
なお、上記実施の形態における閲覧端末１が「表示装置」に該当し、複合機２が「印刷装置」に該当する。そして、閲覧端末１から複合機２へ送信される「印刷データ」及び「転送完了通知」が「印刷指示」に該当し、閲覧端末１の通信用コネクタ３８が「印刷指示接続手段」に該当し、閲覧端末１の充電用コネクタ３９が「受電接続手段」に該当する。そして、複合機２の通信用コネクタ４８が「表示装置接続手段」に該当し、複合機２の充電用コネクタ４９が「電源供給手段」に該当する。そして、バッテリー１９の電圧を計測する充電コントローラ１７が「電池残量検出手段」に該当する。そして、３．８Ｖが「第一の所定の値」、３Ｖが「第二の所定の値」に該当する。
【００８０】
そして、第一メニューである「表示中コンテンツを印刷（充電しない）」メニュー、及び、第二メニューである「マークコンテンツを印刷（充電しない）」メニューが「印刷のみを実行させる指示のメニュー」に該当する。そして、第一メニューである「表示中コンテンツを印刷（充電しない）」メニューが「前記接続判断手段により接続されたと判断された際に前記表示手段に表示されていたコンテンツの印刷指示のメニュー」に該当し、第二メニューである「マークコンテンツを印刷（充電しない）」メニューが「前記印刷指示手段により指示されたコンテンツの印刷指示のメニュー」に該当する。
【００８１】
そして、第三メニューである「表示中コンテンツを印刷（充電する）」メニュー、及び、第四メニューである「マークコンテンツを印刷（充電する）」メニューが「印刷並びに充電の両方を実行させる指示のメニュー」に該当する。そして、第三メニューである「表示中コンテンツを印刷（充電する）」メニューが「前記接続判断手段により接続されたと判断された際に前記表示手段に表示されていたコンテンツの印刷指示並びに充電の両方を実行させる指示のメニュー」に該当し、第四メニューである「マークコンテンツを印刷（充電する）」メニューが「前記印刷指示手段により指示されたコンテンツの印刷指示並びに充電の両方を実行させる指示のメニュー」に該当する。
【００８２】
そして、図１０に示すメイン処理のＳ２において、通信用コネクタ３８及び充電用コネクタ３９が共に複合機２に接続しているか否かの判断を行う閲覧端末コントローラ１０が「接続判断手段」に相当する。そして、図１３に示す接続処理のＳ２４，Ｓ２５，Ｓ２６において、複合機接続メニュー画面１１０を表示部１５に表示させる処理を行う閲覧端末コントローラ１０が「メニュー表示制御手段」に相当し、Ｓ２７において複合機接続メニュー画面１１０におけるメニューの選択を受け付ける処理を行う閲覧端末コントローラ１０が「選択受付手段」に相当する。そして、Ｓ３１〜Ｓ３４，Ｓ３６〜Ｓ３９において選択されたメニューに応じて、印刷の指示のみ、又は、印刷の指示及び充電を行う閲覧端末コントローラ１０が「印刷充電制御手段」に相当する。そして、コンテンツリスト画面１０１や閲覧画面１０２において印刷ボタン１６１が押下されたことを検出し（メイン処理Ｓ３：ＹＥＳ）、印刷指示処理（Ｓ６、図１１）において、マークコンテンツ記憶エリア１２１にコンテンツＩＤを記憶する処理を行う閲覧端末コントローラ１０が「印刷指示手段」に相当する。
【００８３】
なお、本発明の表示装置、充電制御システム及び表示装置プログラムは、上記した実施の形態に限定されるものではなく、本発明の要旨を逸脱しない範囲内において種々変更を加え得ることは勿論である。上記実施の形態では、「印刷装置」として複合機２を使用したが、「印刷装置」は複合機のように印刷以外の機能を備えていなくともよい。また、表示装置を接続させるのは、印刷手段を備えた印刷装置でなく、印刷装置に印刷の指示を行うことのできる装置（「外部装置」に該当する）であってもよい。例えば、プリンターを接続（直接接続、又は、ネットワークを介して接続）したパーソナルコンピュータに表示装置を接続させる。
【００８４】
また、上記実施の形態では、「第一の所定の値」を３．８Ｖ、「第二の所定の値」を３Ｖとしたが、「第一の所定の値」及び「第二の所定の値」はこれらの値に限らないことは言うまでもない。「第一の所定の値」は、バッテリー１９が十分に充電された状態での電圧値又はその電圧値よりも微量に少ない電圧値、つまり充電を行うとバッテリー１９を過充電してしまう可能性のある電圧値であればよい。「第二の所定の値」は、閲覧端末１を駆動させるのに最低限充電な電圧値又はそれよりも微量に多い電圧値、つまり充電を行う必要が生じる電圧値であればよい。
【００８５】
また、複合機２の印刷部２８をインクジェット式の印刷を行うものとしたが、印刷方法はこれに限らず、他の印刷方法であってもよい。例えば、レーザー方式、熱転写方式などの印刷方法であってもよい。また、上記実施の形態では、印刷の指示を行うために複合機２に閲覧端末１を接続した際に、充電を行ったり、充電を行うことを選択可能としたりしたが、閲覧端末１のバッテリー１９に電源を供給する装置は印刷装置でなくともよい。例えば、閲覧端末１で使用するデータ（例えば、コンテンツのデータや、プログラムで使用するデータ）を取得するために接続する外部装置であってもよい。そして、その外部装置に対して処理の指示（データの受信、データの送信など）を与える際に表示されるメニュー画面にて、バッテリー１９の電池残量に基づいて、処理の指示に併せて充電も行うメニューや処理の指示のみ行うメニューを表示させるようにしてもよい。例えば、「コンテンツの取得（充電あり）」メニューや「コンテンツの取得（充電なし）」メニューなどである。
【００８６】
また、上述の実施形態では、バッテリー１９の充電状態を取得し（Ｓ２１）、この充電状態に応じて選択可能なメニューを変えた複合機接続メニュー画面１１１を表示する（Ｓ２４〜Ｓ２６）ものとして説明したが、本発明はこれに限るものではない。例えば、バッテリー１９の充電状態は取得せずに、充電の有無を選択可能なメニュー画面（図５のような複合機接続メニュー画面１１１）を常に表示させるようにしてもよい。また、上述の実施形態では、印刷の指定が行われてコンテンツの印刷データを閲覧端末１で作成し、それを印刷装置へ送信するものとして説明したが、本発明はこれに限るものではない。例えば、閲覧端末からコンテンツの印刷指示を受けた複合機２が、印刷指示されたコンテンツの印刷データをネットワーク上のコンテンツサーバから取得するようにしてもよい。
【００８７】
また、上記実施の形態の閲覧端末１では、電源をＯＦＦ／ＯＮする電源スイッチが設けられているが、必ずしも電源スイッチを設けていなくともよい。この場合には、図１０に示すメイン処理のＳ１の処理は行われない。
【図面の簡単な説明】
【００８８】
【図１】閲覧端末１及び複合機２の電気的構成を示す模式図である。
【図２】コンテンツリスト画面１０１を表示部１５に表示した状態の閲覧端末１の正面図である。
【図３】閲覧端末１のＲＡＭ１２に設けられている記憶エリアの構成を示す模式図である。
【図４】閲覧画面１０２を表示部１５に表示した状態の閲覧端末１の正面図である。
【図５】全メニューを選択可能な複合機接続メニュー画面１１１を表示部１５に表示した状態の閲覧端末１の正面図である。
【図６】充電しないメニューのみが選択可能な複合機接続メニュー画面１１２を表示部１５に表示した状態の閲覧端末１の正面図である。
【図７】充電するメニューのみが選択可能な複合機接続メニュー画面１１３を表示部１５に表示した状態の閲覧端末１の正面図である。
【図８】印刷状態表示画面１３１を表示部１５に表示した状態の閲覧端末１の正面図である。
【図９】充電画面１３２を表示部１５に表示した状態の閲覧端末１の正面図である。
【図１０】閲覧端末１のメイン処理のフローチャートである。
【図１１】メイン処理の中で行われる印刷指示処理のフローチャートである。
【図１２】メイン処理の中で行われる表示処理のフローチャートである。
【図１３】メイン処理の中で行われる接続処理のフローチャートである。
【図１４】接続処理の中で行われる第一メニュー処理のフローチャートである。
【図１５】接続処理の中で行われる第二メニュー処理のフローチャートである。
【図１６】接続処理の中で行われる第三メニュー処理のフローチャートである。
【図１７】接続処理の中で行われる第四メニュー処理のフローチャートである。
【図１８】接続処理の中で行われる第五メニュー処理のフローチャートである。
【図１９】複合機２で行われる複合機処理のフローチャートである。
【符号の説明】
【００８９】
１  閲覧端末
２  複合機
１０  閲覧端末コントローラ
１４  表示コントローラ
１５  表示部
１６  操作キー
１７  充電コントローラ
１９  バッテリー
２０  複合機コントローラ
２７  電源供給部
２８  印刷部
３８  通信用コネクタ
３９  充電用コネクタ
４８  通信用コネクタ
４９  充電用コネクタ
１０１  コンテンツリスト画面
１０２  閲覧画面
１１０  複合機接続メニュー画面
１１１  複合機接続メニュー画面
１１２  複合機接続メニュー画面
１１３  複合機接続メニュー画面
１２１  マークコンテンツ記憶エリア
１２２  表示中コンテンツ記憶エリア
１２６  選択メニュー記憶エリア
１６１  印刷ボタン
【図１】
2008245180.tif 000003
【図２】
2008245180.tif 000004
【図３】
2008245180.tif 000005
【図４】
2008245180.tif 000006
【図５】
2008245180.tif 000007
【図６】
2008245180.tif 000008
【図７】
2008245180.tif 000009
【図８】
2008245180.tif 000010
【図９】
2008245180.tif 000011
【図１０】
2008245180.tif 000012
【図１１】
2008245180.tif 000013
【図１２】
2008245180.tif 000014
【図１３】
2008245180.tif 000015
【図１４】
2008245180.tif 000016
【図１５】
2008245180.tif 000017
【図１６】
2008245180.tif 000018
【図１７】
2008245180.tif 000019
【図１８】
2008245180.tif 000020
【図１９】
2008245180.tif 000021